(57)【要約】【課題】  同一キーに割り付けてある文字を続けて入力する場合にキーの押下回数を削減する。【解決手段】  同一キーに複数の選択可能な文字が割り付けられ、該選択可能な文字を表示させながら該文字を入力できる入力装置において、上記選択可能な文字を表示させる表示部と、キー押下が解除されてから上記文字を確定させるまでの時間を設定する設定部と、上記同一キーの押下が解除されてからの時間をカウントするタイマ制御部と、上記同一キーの連続押下により次候補の文字に切り替えられ、上記同一キーの押下が解除されてからの時間が上記設定された時間に達すると上記文字を確定させる選択確定部とを有し、上記選択確定部で上記文字が確定されると上記表示部はカーソルを次の文字位置に移動させる。【選択図】        図１
2009289178.tif 000002
【特許請求の範囲】
【請求項１】
同一キーに複数の選択可能な文字が割り付けられ、該選択可能な文字を表示させながら該文字を入力できる入力装置において、
前記選択可能な文字を表示させる表示部と、
キー押下が解除されてから前記文字を確定させるまでの時間を設定する設定部と、
前記同一キーの押下が解除されてからの時間をカウントするタイマ制御部と、
前記同一キーの連続押下により次候補の文字に切り替えられ、前記同一キーの押下が解除されてからの時間が前記設定された時間に達すると前記文字を確定させる選択確定部とを有し、
前記選択確定部で前記文字が確定されると前記表示部はカーソルを次の文字位置に移動させること
を特徴とする入力装置。
【請求項２】
前記設定部は、同一キーの押下継続時間を設定し、
前記タイマ制御部は、前記同一キーの押下継続時間をカウントし、
前記選択確定部は、前記同一キーの押下継続時間が前記設定部に登録された時間に達すると次候補の文字に遷移させることを特徴とする請求項１記載の入力装置。
【発明の詳細な説明】
【技術分野】
【０００１】
本発明は、同一キーに複数割り付けられた文字を選択して続けて入力可能な入力装置に関する。
【背景技術】
【０００２】
従来、テンキーを有する入力装置において、同一テンキーに割り付けてある文字を続けて入力するには、１文字目の入力後にカーソルを１文字右に移動させてから２文字目を入力する必要があった。これは１文字目の入力後、２文字目の同一テンキーに割り付けられた文字を入力しても１文字目の入力文字が変更されてしまうからである。
また、下記に示す特許文献１には同一テンキーに割り付けてある英字の大文字、小文字とを容易に入力できる文字入力装置が開示されている。
【特許文献１】特開２００３−１２２４８５号公報
【発明の開示】
【発明が解決しようとする課題】
【０００３】
しかしながら、上述の同一キーに割り付けてある文字を続けて入力するにはキー操作の回数が多く面倒であった。
【課題を解決するための手段】
【０００４】
本発明は、以上の問題を解決するために、次の構成を具備する。
【０００５】
本発明では、同一キーに複数の選択可能な文字が割り付けられ、該選択可能な文字を表示させながら該文字を入力できる入力装置において、上記選択可能な文字を表示させる表示部と、キー押下が解除されてから上記文字を確定させるまでの時間を設定する設定部と、
上記同一キーの押下が解除されてからの時間をカウントするタイマ制御部と、上記同一キーの連続押下により次候補の文字に切り替えられ、上記同一キーの押下が解除されてからの時間が上記設定された時間に達すると上記文字を確定させる選択確定部とを有し、上記選択確定部で上記文字が確定されると上記表示部はカーソルを次の文字位置に移動させることを特徴とする。
【発明の効果】
【０００６】
本発明によれば、同一キーに複数割り付けてある文字を選択して続けて入力する際に１文字目を入力後、所定時間（例えば３秒）経過すればカーソルが自動で次の入力位置に移動することにより１文字目を確定させ、同一キーに割り付けてある２文字目を入力することが可能となるので従来と比較してキー操作の回数を減らすことができる。
【発明を実施するための最良の形態】
【０００７】
以下、本発明の実施形態についてＭＦＰ（複合機）の入力装置を適用し、図面を用いて説明する。
【実施例１】
【０００８】
図２は、実施例１のＭＦＰの構成の説明図である。
図に示すように、ＭＦＰ１０は、ＣＰＵ１、システムバス２、ＲＯＭ（ＲＥＡＤ  ＯＮＬＹ  ＭＥＭＯＲＹ）３、ＲＡＭ（ＲＡＮＤＯＭ  ＡＣＣＥＳＳ  ＭＥＭＯＲＹ）４、読取部５、印刷部６及び操作パネル７からなる。
【０００９】
ＣＰＵ１は、マイクロコンピュータであり、ＲＯＭ３に格納された制御プログラムを実行することによってＭＦＰ１０の各機能を実現させる部分である。ＣＰＵ１は、各部とシステムバス２で接続されており、機能に応じて各部をハードウエアもしくはソフトウエアにより統括制御する。
ＲＯＭ３は、ＭＦＰ１０を制御する所定の制御プログラムが予め格納されているメモリである。このＲＯＭ３はＭＦＰ１０の電力が遮断されても記憶内容が保持される不揮発性メモリである。
【００１０】
ＲＡＭ４は、ＣＰＵ１が制御プログラムを実行するときに必要とする演算領域を提供するメモリである。ＲＡＭ４は、原稿を読み取って生成された画像データ、装置の設定データ、調整データ、文字表示データなどのワークエリアとして用いられ、一時的に格納される揮発性メモリである。
【００１１】
読取部５は、ファクシミリ送信する原稿、もしくは複写する原稿等を走査し画像データに変換する部分である。画像データへの変換手段は既知の様々な方式を採用することができる。例えば、原稿台ガラス上に対象原稿を置き密着型ラインイメージセンサを走行させて読み取る方式、またはＣＣＤイメージセンサを走行させて読み取る方式等がある。
【００１２】
印刷部６は、外部のファクシミリ装置から受信した画像データ、又は複写の際に読取部５が読み取った画像データをＭＦＰ１０に予め収納されたＡ４サイズ、Ｂ４サイズ等の記録紙上に印刷する部分である。
【００１３】
操作パネル７は、ＭＦＰ１０の各種メッセージをユーザに対して表示させる表示板である。また、操作パネル７は、ＭＦＰ１０の操作に必要なファンクションキー、カーソルキー、スタートキーなどのキー入力の機能を持つ。
【００１４】
次に、実施例１の文字入力の機能を実現する機能ブロックについて説明する。
図１は、実施例１の文字入力の機能ブロック図である。
図に示すように、文字入力の機能はシステム制御部１１、表示部１２、選択確定部１３、タイマ制御部１４及び設定部１５によって実現される。
【００１５】
システム制御部１１は、システム全体を管理し、制御プログラムの起動、停止を行う。
表示部１２は、文字、カーソル等を操作パネル７に表示させる部分である。選択確定部１３は、ユーザのキー入力に応じた処理を行う部分である。タイマ制御部１４は、所定の時間（タイマ値）を計測するためのカウントダウン方式の計時手段である。設定部１５は、キーが離されてからの時間（タイマ値１４ａ）とキー押下時間（タイマ値１４ｂ）を格納する部分である。キーが離されてからの時間は、ユーザがテンキーの押下を解除してからの経過時間のことを指し、この時間経過により直前に選択された文字を確定させる。一方、キー押下時間は、ユーザがテンキーの押下継続時間のことを指し、この時間経過により、同一テンキーに割り付けられた文字を次候補に遷移させる。
【００１６】
次に、本発明の操作パネル７について説明する。
図３は、本発明の操作パネルの概観図である。
図に示すように、操作パネル７には、表示パネル７ａ、ファンクション釦７ｂ、カーソルキー７ｃ、スタート釦７ｄ、ストップ釦７ｅ、入力文字モード釦７ｆ、＊と＃と含むテンキー７ｇ、セット釦７ｈを有する。入力言語は、入力文字モード釦７ｆの押下により英字入力と日本語入力とが交互に選択できる。
【００１７】
次に、英字入力におけるテンキー７ｇの割り付け文字並びに表示順について説明する。
図４は、本発明のテンキーにおける割り付けられた文字の説明図である。
図に示すように、テンキー７ｇには、０から９の１０個の数字の釦と＊と＃の釦がある。
割り付け文字は、１つのキーにより入力可能な文字である。例えば１番の釦に割り付けられている文字は、数字の１番のみである。一方、２番の釦であればａ、ｂ、ｃ、Ａ、Ｂ、Ｃ、２のように７種類の文字が割り付けられている。割り付けられた文字の表示の順番については、先ず２番の釦の押下によりａが表示され、以降２番の釦が押下される度にａ→ｂ→ｃ→Ａ→Ｂ→Ｃ→２→・・・順に遷移して表示され、２の表示の次は、最初に表示されたａに戻って以降も同様に遷移する。他の釦の割り付けられた文字は図に示す通りであり、上述のように遷移する。
【００１８】
続いて、入力操作について説明する。
実施例１により従来の方法と比べて釦の押下回数が減少することを説明するために、特定の文字を入力するにあたって、従来の操作での押下回数と本発明の操作での押下回数について述べる。先ず、従来の方法による同一テンキー７ｇの２番釦に割り付けられたａｂｃの３文字を入力する場合について説明する。
図５は、従来の入力操作の流れの説明図である。
以下にステップＳ１１からステップＳ１８までをステップ順に説明する。
【００１９】
（ステップＳ１１）
入力文字モード釦７ｆの押下を受けて選択確定部１３は、英字入力モードに設定する。
テンキー７ｇの２番釦が押下されると選択確定部１３は、表示部１２にその旨を通知する。通知を受けた表示部１２は、図３に示す表示パネル７ａにａと表示する。
【００２０】
（ステップＳ１２）
テンキー７ｇの２番釦の押下が解除された後、カーソルキー７ｃの→釦が押下されると選択確定部１３は、１文字目のａを確定させ、表示部１２にその旨を通知する。通知を受けた表示部１２は、表示パネル７ａにａ＿と表示する。
【００２１】
（ステップＳ１３）
カーソルキー７ｃの→釦の押下が解除された後、テンキー７ｇの２番釦が押下されると選択確定部１３は、表示部１２にその旨を通知する。通知を受けた表示部１２は、表示パネル７ａにａａと表示する。
【００２２】
（ステップＳ１４）
テンキー７ｇの２番釦の押下が解除された後、テンキー７ｇの２番釦が押下されると選択確定部１３は、表示部１２にその旨を通知する。通知を受けた表示部１２は、表示パネル７ａにａｂと表示する。
【００２３】
（ステップＳ１５）
テンキー７ｇの２番釦の押下が解除された後、カーソルキー７ｃの→釦が押下されると選択確定部１３は、２文字目のｂを確定させ、表示部１２にその旨を通知する。通知を受けた表示部１２は、表示パネル７ａにａｂ＿と表示する。
【００２４】
（ステップＳ１６）
カーソルキー７ｃの→釦の押下が解除された後、テンキー７ｇの２番釦が押下されると選択確定部１３は、表示部１２にその旨を通知する。通知を受けた表示部１２は、表示パネル７ａにａｂａと表示する。
【００２５】
（ステップＳ１７）
テンキー７ｇの２番釦の押下が解除された後、テンキー７ｇの２番釦が押下されると選択確定部１３は、表示部１２にその旨を通知する。通知を受けた表示部１２は、表示パネル７ａにａｂｂと表示する。
【００２６】
（ステップＳ１８）
テンキー７ｇの２番釦の押下が解除された後、テンキー７ｇの２番釦が押下されると選択確定部１３は、表示部１２にその旨を通知する。通知を受けた表示部１２は、表示パネル７ａにａｂｃと表示する。
【００２７】
以上のように、従来の入力操作ではａｂｃと入力するには計８回の釦押下が必要であった。
【００２８】
一方、実施例１でのａｂｃの３文字を入力する流れについて図を用いて説明する。実施例１では、選択したキーの押下から解除されて所定時間（例えば３秒）が経過すると選択された文字を確定させ、次の文字入力が可能なようにカーソルを移動させる。
【００２９】
図６は、実施例１の入力操作の流れの説明図である。
以下にステップＳ２１からステップＳ２６までをステップ順に図１、図３を併用しながら説明する。
【００３０】
（ステップＳ２１）
入力文字モード釦７ｆの押下を受けて選択確定部１３は、英字入力モードに設定する。
テンキー７ｇの２番釦が押下されると選択確定部１３は、表示部１２にその旨を通知する。通知を受けた表示部１２は、表示パネル７ａにａと表示する。そして、テンキー７ｇの２番釦の押下が解除されると選択確定部１３は、その旨をタイマ制御部１４に通知する。
通知を受けたタイマ制御部１４は、予め設定部１５に格納されたタイマ値１４ａ（例えば３秒）のカウントダウンを開始する。カウントダウンを完了するとタイマ制御部１４は、その旨を選択確定部１３に通知する。通知を受けた選択確定部１３は、１文字目のａを確定させ、表示部１２にその旨を通知する。通知を受けた表示部１２は、表示パネル７ａにａ＿と表示する。
【００３１】
（ステップＳ２２）
次に、テンキー７ｇの２番釦が押下されると選択確定部１３は、表示部１２にその旨を通知する。通知を受けた表示部１２は、表示パネル７ａにａａと表示する。
【００３２】
（ステップＳ２３）
テンキー７ｇの２番釦の押下が解除された後、再びテンキー７ｇの２番釦が押下されると選択確定部１３は、表示部１２にその旨を通知する。通知を受けた表示部１２は、表示パネル７ａにａｂと表示する。テンキー７ｇの２番釦の押下が解除されると選択確定部１３は、その旨をタイマ制御部１４に通知する。タイマ制御部１４は、予め設定部１５に格納されたタイマ値１４ａ（例えば３秒）のカウントダウンを開始する。カウントダウンが完了するとタイマ制御部１４は、その旨を選択確定部１３に通知する。通知を受けた選択確定部１３は、２文字目のｂを確定させ、表示部１２にその旨を通知する。通知を受けた表示部１２は、表示パネル７ａにａｂ＿と表示する。
【００３３】
（ステップＳ２４）
次に、再びテンキー７ｇの２番釦が押下されると選択確定部１３は、その旨を表示部１２に通知する。通知を受けた表示部１２は、表示パネル７ａにａｂａと表示する。
【００３４】
（ステップＳ２５）
テンキー７ｇの２番釦の押下が解除された後、再びテンキー７ｇの２番釦が押下されると選択確定部１３は、表示部１２にその旨を通知する。通知を受けた表示部１２は、表示パネル７ａにａｂｂと表示する。
【００３５】
（ステップＳ２６）
テンキー７ｇの２番釦の押下が解除された後、再びセット釦７ｈが押下されると選択確定部１３は、表示部１２にその旨を通知する。通知を受けた表示部１２は、表示パネル７ａにａｂｃと表示する。
【００３６】
以上のように、実施例１ではａｂｃと入力するのに計６回の釦押下で済む。即ち、実施例１によれば従来８回の釦押下が必要だったのを６回で済ませることができる。
【００３７】
次に、実施例１のカーソルを移動させる時間の設定について説明する。
図７は、実施例１のカーソルを移動させる時間の設定についての説明図である。
操作パネル７のファンクション釦７ｂが押下されると選択確定部１３は、表示部１２にその旨を通知する。通知を受けた表示部１２は、表示パネル７ａに図７に示すような設定メニュー２１を表示させる。設定メニュー２１を表示した状態で、図に示すキーが離されてからの時間が選択し、カーソルキー７ｃの→釦が押下されると選択確定部１３は、表示部１２にその旨を通知し、通知を受けた表示部１２は、図７に示す時間メニュー２２を表示させる。表示された時間メニュー２２を見ながらユーザは、キーが離されてからの時間（１秒、２秒、３秒等）をカーソルキー７ｃの↑釦、↓釦で選択して登録する。
設定部１５は、登録された時間をタイマ値１４ａとして格納する。
【００３８】
次に、文字入力処理についてフローチャートを用いて説明する。
図８は、実施例１の文字入力処理のフローチャートである。
以下ステップＳ１０１からステップＳ１１５までステップ順に実施例１の文字入力の処理に流れについて図１、図２、図３と併せて説明する。本処理は、各種文字を入力する操作において起動する。
【００３９】
（ステップＳ１０１）
図１に示すシステム制御部１１は、図２に示すＲＡＭ４の文字表示データのワークエリアを初期化する。
【００４０】
（ステップＳ１０２）
図１に示す表示部１２は、図３に示す表示パネル７ａの１文字目の位置にカーソルを表示させる。
【００４１】
（ステップＳ１０３）
図１に示す選択確定部１３は、図３に示すセット釦７ｈが押下されたかどうかを確認する。セット釦７ｈが押下された場合は終了とし、押下されていない場合はステップＳ１０４に進む。
【００４２】
（ステップＳ１０４）
図１に示すタイマ制御部１４は、タイマ値１４ａがセットされて且つカウントダウンが開始されていれば、カウントダウンが終了したかどうかを確認する。カウントダウンが終了していればステップＳ１１４に進み、タイマ値１４ａがセットされていないか、もしくはカウントダウンが完了していなければステップＳ１０５に進む。
【００４３】
（ステップＳ１０５）
選択確定部１３は、図３に示すカーソルキー７ｃの→釦が押下されたかどうかを確認する。→釦が押下された場合はステップＳ１１４に進み、押下されていない場合はステップＳ１０６に進む。
【００４４】
（ステップＳ１０６）
選択確定部１３は、操作パネル７のテンキー７ｇが押下されたかどうかを確認する。押下された場合はステップＳ１０７に進み、押下されていない場合はステップＳ１０３に戻る。
【００４５】
（ステップＳ１０７）
選択確定部１３は、押下されたテンキー７ｇが最初の文字かどうかを確認する。最初の文字であればテンキー７ｇに割り付けられた文字をＲＡＭ４の文字表示データのワークエリアに記憶させステップＳ１１１に進む。一方、最初の文字でなければステップＳ１０８に進む。
【００４６】
（ステップＳ１０８）
選択確定部１３は、押下されたテンキー７ｇが直前の文字と同一のテンキー７ｇかどうかを確認する。直前の文字と同一であればステップＳ１０９に進み、同一でなければステップＳ１１０に進む。
【００４７】
（ステップＳ１０９）
選択確定部１３は、押下されたテンキー７ｇが直前の文字と同一のテンキー７ｇであれば、同一テンキー７ｇに割り付けられた次候補の文字をＲＡＭ４の文字表示データのワークエリアに記憶させる。
【００４８】
（ステップＳ１１０）
選択確定部１３は、押下されたテンキー７ｇが直前の文字と同一のテンキー７ｇでなければ、直前の文字を確定させカーソルを右に移動させる。更に、選択確定部１３は、押下されたテンキー７ｇの文字をＲＡＭ４の文字表示データのワークエリアに記憶させる。
【００４９】
（ステップＳ１１１）
タイマ制御部１４は、文字が更新されたことを受けて図１に示す設定部１５に格納されているタイマ値１４ａを設定し、カウントダウンを開始する。
【００５０】
（ステップＳ１１２）
表示部１２は、カーソル位置にＲＡＭ４の文字表示データのワークエリアに記憶された文字を表示させる。
【００５１】
（ステップＳ１１３）
表示部１２は、文字を表示させた位置に改めてカーソルを表示させる。
【００５２】
（ステップＳ１１４）
タイマ制御部１４においてカウントダウンが完了するか、選択確定部１３において操作パネル７のカーソルキー７ｃの→釦が押下された場合にはタイマ値１４ａをリセットする。
【００５３】
（ステップＳ１１５）
表示部１２は、前の文字を確定させカーソルを右に移動させる。
【００５４】
以上のように実施例１によれば同一キーに割り付けられた文字を続けて入力する際に、キーを押下し、その後押下が解除された時点から所定時間が経過するとカーソルを右に移動させることでキー操作の回数を減らすことができる。
【００５５】
なお、実施例１では同一テンキーを複数回押下することにより割り付けられた文字のみが選択可能として説明したが、例えば、テンキーの２番釦を複数回押下することにより、
下記のように他のテンキーに割り付けられた文字を選択可能としても構わない。
ａ→ｂ→ｃ→Ａ→Ｂ→Ｃ→２→ｄ→ｅ→ｆ→Ｄ→Ｅ→Ｆ→３→ｇ→ｈ→ｉ→・・・・・
【実施例２】
【００５６】
本実施例では、同一テンキー７ｇの次候補の文字を選択する方法としてキーを長押しすることにより同一テンキー７ｇの次候補以降の文字に遷移させることを特徴とする。構成は、実施例１と同様のため同一の符号を付し説明は省略する。
【００５７】
以下に実施例２の入力操作について説明する。
図９は、実施例２の入力操作の流れを示す説明図である。
以下にステップＳ３１からステップＳ３３までをステップ順に図１、図３を併用しながら説明する。
【００５８】
（ステップＳ３１）
入力文字モード釦７ｆの押下を受けて選択確定部１３は、英字入力モードに設定する。
テンキー７ｇの２番釦が押下されると選択確定部１３は、表示部１２とタイマ制御部１４にその旨を通知する。通知を受けた表示部１２は、表示パネル７ａにａを表示する。
通知を受けたタイマ制御部１４は、設定部１５に格納されているキー押下時間（タイマ値１４ｂ）をセットし、カウントダウンを開始する。その後、所定時間内にキー押下が解除されると、タイマ制御部１４はカウントダウンを停止する。
【００５９】
次に、キー押下の解除を受けてタイマ制御部１４は、予め設定部１５に格納されたタイマ値１４ａ（例えば３秒）のカウントダウンを開始し完了すると選択確定部１３に通知する。通知を受けた選択確定部１３は、１文字目のａを確定させ、表示部１２にその旨を通知する。通知を受けた表示部１２は、表示パネル７ａにａ＿と表示する。
【００６０】
（ステップＳ３２）
次に、テンキー７ｇの２番釦が押下されると選択確定部１３は、表示部１２とタイマ制御部１４とにその旨を通知する。通知を受けた表示部１２は、表示パネル７ａにａａと表示する。通知を受けたタイマ制御部１４は、設定部１５に格納されているキー押下時間（タイマ値１４ｂ）をセットし、カウントダウンを開始する。
【００６１】
その後、テンキー７ｇの２番釦の押下継続時間がキー押下時間に達すると、タイマ制御部１４は、その旨を選択確定部１３に通知する。通知を受けた選択確定部１３は、同一テンキー７ｇの文字の次候補に変更するよう表示部１２にその旨を通知する。通知を受けた表示部１２は、表示パネル７ａにａｂと表示する。
【００６２】
（ステップＳ３３）
その後テンキー７ｇの２番釦の押下がキー押下時間以内に解除されると選択確定部１３は、その旨をタイマ制御部１４に通知する。通知を受けたタイマ制御部１４は、キーが離されてからの時間（タイマ値１４ａ）のカウントダウンを開始する。カウントダウンが完了するとタイマ制御部１４はその旨を選択確定部１３に通知する。通知を受けた選択確定部１３は、２文字目のｂを確定させ、表示部１２にその旨を通知する。通知を受けた表示部１２は、表示パネル７ａにａｂ＿と表示する。
【００６３】
次に、再びテンキー７ｇの２番釦が押下されると選択確定部１３は、表示部１２とタイマ制御部１４とにその旨を通知する。通知を受けた表示部１２は、表示パネル７ａにａｂａと表示する。通知を受けたタイマ制御部１４は、設定部１５に格納されているキー押下時間（タイマ値１４ｂ）をセットし、カウントダウンを開始する。
【００６４】
テンキー７ｇの２番釦の押下が継続されキー押下時間に達するとタイマ制御部１４は、その旨を選択確定部１３に通知する。通知を受けた選択確定部１３は、同一テンキー７ｇの文字を次候補に変更するように、表示部１２にその旨を通知する。通知を受けた表示部１２は、表示パネル７ａにａｂｂと表示する。
【００６５】
その後、テンキー７ｇの２番釦の押下が継続され改めてキー押下時間に達するとタイマ制御部１４は、その旨を選択確定部１３に通知する。通知を受けた選択確定部１３は、同一テンキー７ｇの文字を次候補に変更するように、表示部１２にその旨を通知する。通知を受けた表示部１２は、表示パネル７ａにａｂｃと表示する。
【００６６】
以上のように実施例２では、ａｂｃと入力するのに計３回の釦押下で済む。即ち、実施例２によれば従来８回の釦押下が必要だったのを３回で済ませることができる。
【００６７】
次に実施例２の同一テンキー７ｇの文字を遷移させるための長押し時間の設定について説明する。
図１０は、実施例２の同一テンキーの文字を遷移させるための長押し時間の設定についての説明図である。
【００６８】
選択確定部１３は、操作パネル７のファンクション釦７ｂが押下されると表示部１２にその旨を通知する。通知を受けた表示部１２は、表示パネル７ａに図１０に示すような設定メニュー２１を表示させる。選択確定部１３は、設定メニュー２１において、図に示すようにキー押下時間が選択された状態でカーソルキー７ｃの→釦が押下されると表示部１２にその旨を通知し、通知を受けた表示部１２は、図１０に示す時間メニュー２２を表示させる。表示された時間メニュー２２を見ながらユーザは、キー押下時間の候補である時間（１秒、２秒、３秒等）をカーソルキー７ｃの↑釦、↓釦で選択し登録する。設定部１５は、登録されたキー押下時間をタイマ値１４ｂとして格納する。
【００６９】
次に、文字入力処理についてフローチャートを用いて説明する。
図１１は、実施例２の文字入力処理のフローチャートである。
ステップＳ１０１からステップＳ１１５は、実施例１と同様につき説明を省略する。ここではステップＳ２０１、ステップＳ２０２についてのみ説明する。
【００７０】
（ステップＳ２０１）
操作パネル７のテンキー７ｇが押下されると選択確定部１３は、タイマ制御部１４にその旨を通知する。通知を受けたタイマ制御部１４は、設定部１５に記憶されているキー押下時間のタイマ値１４ｂを設定し、カウントダウンを開始する。
【００７１】
（ステップＳ２０２）
選択確定部１３は、押下されたテンキー７ｇが直前の文字と同一であれば、同一テンキー７ｇに割り付けられた文字の次候補に遷移させる文字スクロール処理を実行する。
【００７２】
ここで、ステップＳ２０２の文字スクロール処理について詳細に説明する。
図１２は、実施例２の文字スクロール処理のフローチャートである。
以下にステップＳ３０１からステップＳ３０３までをステップ順に説明する。
【００７３】
（ステップＳ３０１）
選択確定部１３は、テンキー７ｇが押下された状態のままかどうかを確認する。押下された状態から解除されていれば処理を終了し、押下されたままであればステップＳ３０２に進む。
【００７４】
（ステップＳ３０２）
テンキー７ｇが押下された状態の場合、選択確定部１３は、タイマ値１４ｂのカウントダウンが完了したかどうかをタイマ制御部１４に確認する。カウントダウンが完了していればステップＳ３０３に進み、カウントダウンが途中であればステップＳ３０１に戻る。
【００７５】
（ステップＳ３０３）
選択確定部１３は、カウントダウンが完了したのを受けて同一テンキー７ｇに割り付けられている文字の次候補を表示パネル７ａに表示させる。
【００７６】
以上のように実施例２によれば同一キーに割り付けられた文字を入力する際に、キーを長押しすることで、同一テンキーに割り付けられた文字の次候補を選択することができるのでキー操作の回数を減らすことができる。
【００７７】
なお、実施例２では同一テンキーを長押しすることにより割り付けられた文字のみが選択可能として説明したが、例えば、テンキーの２番釦を長時間押下することにより、下記のように他のテンキーに割り付けられた文字を選択可能としても構わない。
ａ→ｂ→ｃ→Ａ→Ｂ→Ｃ→２→ｄ→ｅ→ｆ→Ｄ→Ｅ→Ｆ→３→ｇ→ｈ→ｉ→・・・・・
【産業上の利用可能性】
【００７８】
なお、本実施例では、ＭＦＰの入力装置を適用して説明したが、同様の文字入力機能を有するファクシミリ装置、携帯電話機、印刷装置の入力装置にも適用可能である。
【図面の簡単な説明】
【００７９】
【図１】実施例１の文字入力の機能ブロック図である。
【図２】実施例１のＭＦＰの構成の説明図である。
【図３】本発明の操作パネルの概観図である。
【図４】本発明のテンキーにおける割り付けられた文字の説明図である。
【図５】従来の入力操作の流れの説明図である。
【図６】実施例１の入力操作の流れの説明図である。
【図７】実施例１のカーソルを移動させる時間の設定についての説明図である。
【図８】実施例１の文字入力処理のフローチャートである。
【図９】実施例２の入力操作の流れの説明図である。
【図１０】実施例２の同一テンキーの文字を遷移させるための長押し時間の設定の説明図である。
【図１１】実施例２の文字入力処理のフローチャートである。
【図１２】実施例２の文字スクロール処理のフローチャートである。
【符号の説明】
【００８０】
１１  システム制御部
１２  表示部
１３  選択確定部
１４  タイマ制御部
１５  設定部
【図１】
2009289178.tif 000003
【図２】
2009289178.tif 000004
【図３】
2009289178.tif 000005
【図４】
2009289178.tif 000006
【図５】
2009289178.tif 000007
【図６】
2009289178.tif 000008
【図７】
2009289178.tif 000009
【図８】
2009289178.tif 000010
【図９】
2009289178.tif 000011
【図１０】
2009289178.tif 000012
【図１１】
2009289178.tif 000013
【図１２】
2009289178.tif 000014